(57)【特許請求の範囲】
【請求項１】
所定の規格面積を有する多角形のデッキユニットを連結自在に形成したものであって、
多角形のデッキユニットの頂点位置に配置される脚材と、
この脚材の所定の高さ位置に固定される根太材と、
前記根太材に掛け渡される床板と、
前記床板の外周に設けられる縁板とを備え、
前記根太材には、
前記床板および前記縁板を載置可能な受け台と、
前記受け台の台面に所定の間隔を保って並設され、前記床板および前記縁板の裏面に嵌合可能な連結ピンとを設けたことを特徴とする連結ユニット式ウッドデッキ。
【請求項２】
前記受け台の台面に、前記床板および前記縁板の載置面に排水路を形成可能な逃し溝を設けたことを特徴とする請求項１記載の連結ユニット式ウッドデッキ。
【発明の詳細な説明】
【０００１】
【発明の属する技術分野】
本発明は、連結ユニット式ウッドデッキに関するもので、詳しくは、住宅等の屋外または屋内にデッキテラス、デッキテーブル等を設けるのに適したものである。
【０００２】
【従来の技術】
近年、住宅等の生活空間の有効利用を図るため、ウッドデッキを設置することが多くなっている。一般に、デッキを製作する場合、基礎となる地面に脚材を固定し、各脚材の上部に根太材を固定して土台部分を形成する。次いで、それぞれの根太材に、床板を掛け渡し、釘やボルト等で固定している。デッキ面の広さや形状は、建物や庭の状況等によって種々のタイプに形成される。
【０００３】
【発明が解決しようとする課題】
しかしながら、このような従来のデッキを製作する場合、次のような問題を生じている。
▲１▼  木材の切断、穴開け、釘打ち等の作業を現場で行うことが多くなるため、専門の技術者によらなければ、迅速かつ正確な作業を行うことが困難である。
▲２▼  デッキの完成後にデッキ面の形状、広さを変更しにくい。
▲３▼  床板の清掃、張り替え等のデッキの維持・管理に手間がかかる。
【０００４】
そこで、本発明は、このような現状に鑑みなされたもので、専門の技術者によらなくとも、短時間で確実にデッキを製作することを可能にし、しかも、デッキの完成後であっても、デッキ面の広さおよび形状の変更を容易に行うことを可能にした連結ユニット式ウッドデッキを提供することを目的としている。
【０００５】
【課題を解決するための手段】
前記課題を解決するための本発明の連結ユニット式ウッドデッキは、
所定の規格面積を有する多角形のデッキユニットを連結自在に形成したものであって、
多角形のデッキユニットの頂点位置に配置される脚材と、
この脚材の所定の高さ位置に固定される根太材と、
前記根太材に掛け渡される床板と、
前記床板の外周に載置される縁板とを備え、
前記根太材には、
前記床板および前記縁板を載置可能な受け台と、
前記受け台の台面に所定の間隔を保って並設され、前記床板および前記縁板の裏面に嵌合可能な連結ピンとを設ける構成とした。
また、本発明の連結ユニット式ウッドデッキは、前記受け台の台面に、前記床板および前記縁板の載置面に排水路を形成可能な導く逃し溝を設ける構成とした。
【０００６】
本発明の連結ユニット式ウッドデッキによると、根太材の受け台に床板および縁板を載置し、デッキ面を形成する。受け台に床板および縁板を載置する際、床板および縁板の裏面に連結ピンを嵌合することにより、床板がズレたり、落下することが防止される。
デッキユニットを連結する場合、まず、連結方向に所定の間隔をあけて根太材を設ける。次いで、互いに向き合う根太材に床板を掛け渡し、両者の連結ピンに床板の裏面を嵌合し、受け台上に載置する。
すなわち、デッキユニット毎に床板を掛け渡して、連結ピンで止めることで、専門の技術を要しなくとも、デッキユニットを自在に組み合わせることが可能になる。
また、デッキの広さおよび形状は、デッキユニットの連結の位置および長さを調整することより、任意に設定することができる。デッキの完成後であっても、根太材から床板を取り外して簡単にデッキユニットを移動させることができるため、デッキ面の広さおよび形状の変更に要する手間がきわめて少なくなる。
【０００７】
【発明の実施の形態】
以下、本発明の実施の形態を図面に基づいて説明する。
本発明の第１実施例を図１〜図１０に示す。第１実施例の連結ユニット式ウッドデッキは、デッキユニット１を組み合わせてデッキテラス、デッキテーブル等を形成するようにしたものである。
図１〜図３に示すように、デッキユニット１は、正方形のデッキ面を有するもので、脚材２、根太材３、床板４および縁板５からなる。正方形の頂点位置に脚材２が設けられる。脚材２の上端部には、根太材３がほぼ水平に固定され、互いに向き合う根太材３に床板４が掛け渡される。床板４の外周には縁板５が取り付けられている。
【０００８】
アルミニウム等の金属からなる根太材３は、図５に示すように、横断面がＴ字形になっており、受け台１２およびリブ１３を有する。リブ１３の両側にそれぞれ等しい長さおよび幅で受け台１２が延びている。受け台１２は、床板４の端部を受けてデッキ面を支持する。また、リブ１３は、受け台１２の鉛直方向に対する強度を高め、デッキ面の耐荷重性を向上させる役割を果たす。脚材２に根太材３を固定すると、図６に示すように、内台１２ａがデッキユニット１の内側を向き、外台１２ｂがデッキユニット１の外側を向くことになる。
なお、ウッドデッキの根太材の材料としては、一般的には木材を使用することが多い。ウッドデッキは、屋外で使用されることが多く、雨や紫外線などに曝されると、負担の大きい根太材が劣化しやくなる。本実施例においては、アルミニウム等の金属によって根太材を形成することで、ウッドデッキの耐久性を大幅に向上させ、長期間の使用に耐えられる構造としている。
【０００９】
受け台１２の上面には、所定間隔を保って一定長さの連結ピン１４が並設される。連結ピン１４は、図６に示すように、内台１２ａの長手方向に並ぶ内ピン１４ａと、外台１２ｂの長手方向に並ぶ外ピン１４ｂとからなっている。互いに対向する根太材３には、それぞれの内ピン１４ａおよび外ピン１４ｂが一定間隔で直線で結ばれるように配置される。
【００１０】
図４に示すように、床板４は、デッキユニット１の両端に置かれる外床板４ａと、この外床板４ａの間に置かれる内床板４ｂとの２種の板からなる。外床板４ａの四隅部のうち、脚材２に隣り合う部分は、脚材２の側面に沿って直角に切り欠かれている。内床板４ｂは、対向する根太材３に載置可能に一定の幅および長さに形成される。外床板４ａおよび内床板４ｂの裏面には、内ピン１４ａに対応する位置にピン穴Ｈ1が形成される。
また、縁板５は、外台１２ｂの台面とほぼ同一のサイズに形成される。縁板５の裏面には、外ピン１４ｂに対応する位置にピン穴Ｈ2が形成されている。外台１２ｂの台面に縁板５を載置すると、外ピン１４ｂが縁板５によって隠れることになる。
【００１１】
図６〜図８に示すように、脚材３の上端側面には、根太材３がボルト２１によって締め付けられる。この締め付けは、デッキユニットごとに予め工場で行うか、または、現場でデッキ製作者が行ってもよい。現場で作業を行う場合でも、後述するように、脚材２と根太材３の固定位置がナットおよびＴ溝によって所定位置に決められるので、専門の技術を要しなくとも、簡単かつ迅速に作業を行うことができる。
【００１２】
根太材３の端部には、脚材２に根太材３を固定するためのストッパ２０およびジョイント２２が設けられる。ストッパ２０は、受け台１２の台面に垂直な板片からなり、リブ１３に直交するように形成されている。ストッパ２０の板面には、固定ボルト２１を通すためのボルト孔が設けられる。ジョイント２２は、ストッパ２０の先端側に水平および垂直に延びる板片を有している。根太材３を製造する場合、例えば、アルミニウム等の金属を鋳型に流し込んで、ストッパ２０およびジョイント２２の板片を、受け台１２、リブ１３および連結ピン１４と一体に成形するとよい。
【００１３】
脚材２の上端部には、ナット２５およびＴ溝２６が設けられている。ナット２５は、ストッパ２０のボルト孔に一致するように、脚材２の側面に埋め込まれている。Ｔ溝２６は、ジョイント２２の板片が嵌合可能な溝幅に形成されている。脚材２に根太材３を固定する場合には、Ｔ溝２６にジョイント２２の板片を挿入し、根太材３の側面にストッパ２０を当てる。次いで、ストッパ２０のボルト孔に固定ボルト２１を通してナット２５に締め付ける。
【００１４】
なお、ナット２５およびＴ溝２６は、脚材２の上端側面のうち、少なくとも３面以上に設けるのが望ましい。３面以上に設けておくと、複数のデッキユニットを連結する場合に、他のユニットの根太材を脚材２に直接固定することができ、デッキユニットの組み合わせの幅が広がるためである。
【００１５】
図６に示すように、受け台１２の上面には、逃し溝２８が設けられる。逃し溝２８は、リブ１３の付け根部分から受け台１２の側端まで連なって形成される。長さ方向に並んだ各連結ピン１４の間に、逃し溝２８が配置されている。
図９（Ａ）および（Ｂ）に示すように、逃し溝２８の溝面は、受け台１４ａ、１４ｂの側端側へ行くに従って次第に下方へ傾斜する。逃し溝２８に雨水等が入ると、逃し溝２８が排水路となって、溝内の水が傾斜面に沿って受け台１２の下方に流れる。これにより、受け台１２に床板４および縁板５を載置したまま長期間保持しても、これらの載置面が乾燥しやすい状態に保たれ、床板４および縁板５の耐久性が大幅に向上する。
【００１６】
デッキユニット１を組み立てる場合、まず、脚材２および根太材３をそれぞれ４本ずつ準備し、脚材２の上端部に根太材３を固定して正方形の枠を組む。次に、互いに向き合う内ピン１４ａに床板４のピン穴Ｈ1を嵌合し、根太材３の内台１２ａに所定枚数の床板４を一定の方向に揃えて掛け渡していく。一方、根太材３の外ピン１４ｂには縁板５のピン穴Ｈ2を嵌合し、外台１２ｂに縁板５を載置する。
これにより、脚材２の頂面、床板４および縁板５がほぼ同一平面に並んでデッキ面となる。
【００１７】
次に、デッキユニット１の連結方法を説明する。
デッキユニット１の連結方法としては、デッキユニット１に他のユニットの根太材、床板および脚材を直接連結する方法と、他のデッキユニットを別個に作製して、床板を介してデッキユニット同士を連結する方法とがある。
【００１８】
前者の方法による場合、まず、デッキユニット１とは別個に根太材３本と、脚材２本を準備する。そして、２本の脚材の上端部に３本の根太材をコ字型になるようにボルトで固定する。次いで、デッキユニット１の脚材２の上端部側面に、コ字型に形成された根太材の先端をボルトで固定する。その後、連結した根太材に別に準備した床板を掛け渡せば、２個のデッキユニット１が連結され、デッキ面が規格面積の２倍に拡張されることになる。
【００１９】
一方、後者の方法による場合は、まず、デッキユニット１の他に、別個にデッキユニット１を準備する。そして、これらのユニットを所定距離だけ離し、外ピン１４ｂを向き合わせて置く。次いで、これらの外台１２ｂに別に準備した床板を掛け渡し、両端部のピン穴に外ピン１４ｂを嵌合する。すなわち、２個のデッキユニット１の間に床板を掛け渡すことによって３個のユニットが連結されることになり、デッキ面が規格面積の３倍に拡張されることになる。
【００２０】
なお、デッキユニット１を連結する場合、連結方向に設けられる縁板５は、連結前に取り外す。取り外した縁板５は、デッキ面の最も端に位置する根太材の外台に載置し、外ピン１４ｂを隠すように用いるとよい。
【００２１】
次に、デッキユニット１を用いて住宅の庭にデッキテラスを設けた例を図１０に示す。デッキテラスは、出口窓Ｗの外側の空間に所定の広さおよび形状のデッキ面が形成される。出口窓Ｗの横には植木Ｐが植えられており、デッキ面は、この植木Ｐを回避するように形成されている。
デッキユニット１ａは、建物の壁面に対して直交する方向に各ユニットの根太材が直接連結される。一方、デッキユニット１ｂは、デッキユニット１ａの間に床板によって連結される。すなわち、デッキユニット１ａを所定の距離だけ離して設置し、これらの間に床板を渡してデッキユニット１ｂが形成されている。
このようにデッキユニット１ａ、１ｂを自在に連結することで、設計者の希望にかなった広さおよび形状のデッキ面に仕上げることができる。
【００２２】
また、デッキユニット１ａ、１ｂによれば、デッキ面の広さや形状を変更することも可能である。例えば、デッキユニット１ａ、１ｂを単独または列ごとに追加および撤去することにより、デッキ面の拡大・縮小を自由に行うことができる。
また、デッキユニット１ａ、１ｂは、床板を簡単に取り外せることから、デッキ面のメンテナンスが容易になる。例えば、床板４の隙間や床下に溜まったゴミを取り除くときには、床板４を取り外して適当な処置をすればよい。また、床板４の一部が汚れた場合など、必要な箇所の床板のみを交換することができる。
【００２３】
なお、デッキユニット１は、デッキテラスだけでなく、他の用途に用いてもよい。例えば、デッキユニット１を単独または数個分連結して使用することで、テーブル、腰掛け、階段等として用いることができる。
【００２４】
本発明の第２実施例を図１１に示す。
第２実施例は、デッキユニットをディスプレイテーブルに適用したものである。ディスプレイテーブルは、長方形のデッキユニット３０、３１が連結されている。デッキユニット３０を作製した後、デッキユニット３１の根太材および脚材をデッキユニット３０の側方に連結している。
根太材３３の内台には、床板３４が各ユニットの対角線に沿って平行に並べられる。根太材３３の外台には、縁板３５が載置されている。各床板３４および縁板３５の裏面には、ピン穴が形成されており、このピン穴に根太材３３の内ピンおよび外ピンが嵌合している。なお、図１１に示す状態では、ユニットごとに異なる対角線に床板４が配置されるが、床板４の方向を一定方向に揃えることも可能である。
【００２５】
図１１でデッキ面の後方には、脚材３２の先端が上方に延びており、これらの脚材３２の間に横板３６および棚３７が固定される。
デッキユニット３０、３１を店内等に設置する場合、各ユニット３０、３１のデッキ面、および棚３７に商品等が陳列される。商品等の数や種類によって、デッキユニットの連結数を変更し、最適な陳列面積を確保することができる。
【００２６】
第３実施例を図１２および図１３に示す。
第３実施例は、デッキユニット４０を調理テーブルとして用いたものである。デッキユニット４０は、脚材４２の上端部に根太材４３が固定される。根太材４３の内台には床板４４が掛け渡される。床板４４の間にはコンロ４７が設けられている。
また、根太材４３の外台には、縁板４５が載置される。床板４４および縁板４５の裏面には、根太材４３の連結ピン（内ピンおよび外ピン）に嵌合可能なピン穴が形成されている。
コンロ４７の両端部には、補助アーム４９が延び、この補助アーム４９に連結棒４９ａが固定される。連結棒４９ａは、連結ピン４３ａの外側に掛け止められる。コンロ４７の下方には、コンロ台４８が設置され、コンロ４７がデッキ中央に安定に保持される。
調理を行わないときには、コンロ４７を取り外して床板４４に取り替えることが可能である。
【００２７】
第４実施例を図１４に示す。
第４実施例は、デッキユニット５０を作業台として用いたものである。
デッキユニット５０は、脚材５２の上端部に根太材５３が固定される。根太材５３の内台および外台に床板５４および縁板５５が載置される。床板５４および縁板５５の裏面には、根太材５３の連結ピン（内ピンおよび外ピン）に嵌合可能なピン穴が形成されている。
デッキユニット５０によれば、工作目的に応じて床板５４を取り外したり、専用の床板に取り替えることで、種々の作業を行うことができる。
例えば、角材Ｋを切断する場合、ユニット中央の床板５４を取り外し、角材Ｋをデッキ面に留め具５６によって固定する。床材５４を取り外した隙間に鋸Ｊを通すことで、角材Ｋを容易に切断することができる。
また、電動鋸を使用する場合には、専用の床板５７を取り付ける。床板５７は、通常の床板５４の２枚分の板幅を有し、中間部に電動鋸が固定されている。所定のレバーを操作すると、電動刃が上下動するようになっている。加工用の板材等をデッキ面にスライドさせながら電動刃で切断する。
さらに、床板５４をカンナ掛け用のガイド板５８に取り替えたり、デッキユニット４０の四隅部に鍛造用の金敷５９を固定することもできる。
【００２８】
前記第１実施例〜第４実施例では、デッキユニットの形状を四角形としたが、脚材および根太材の数を変更することで、四角形以外の多角形にしてもよい。
例えば、図１５に示す第５実施例のデッキテラス６０は、六角形のデッキユニット６１を連結してなる。六角形の頂点位置に三角柱形の脚材６２が配置され、この脚材６２の上端部に根太材６３が固定されている。根太材６３の上面には、連結ピンが並設され、各連結ピンに床板６４および縁板６５が嵌合している。このようにデッキユニット６１を六角形にすることにより、デッキ面の水平方向に対する耐衝撃性をより向上させることができる。
【００２９】
また、図１６に示す第６実施例のデッキテラス７０は、四角形のデッキユニット７１と三角形のデッキユニット７２を組み合わせてなる。脚材７３および７４に根太材７６が固定されている。床板７７、７８の裏面の端部には、根太材７６の連結ピンに嵌合可能なピン穴が形成されている。
このように異なる形状のデッキユニットを組み合わせることで、複雑形状のデッキ面を容易に製作することができ、デザイン的にも種々の設計が可能になる。
【００３０】
次に、本発明の第７実施例を図１７に示す。第７実施例は、図５に示す根太材の形状を改良したものである。
根太材８０は、受け台８２の幅方向の中間位置に上向きリブ８３が形成される。受け台８２の台面には、連結ピン８４および逃し溝８８が設けられる。根太材８０の両端部には、ストッパ８６およびジョイント８７が設けられる。
受け台８２の側端部には、所定の間隔で切欠きＳが設けられる。切欠きＳは、上向きリブ８３の両側に対称に形成されている。受け台８２の台幅は、切欠きＳの形成される部分では、切欠きＳの形成されない部分のほぼ半分の幅になっている。
【００３１】
受け台８２の下面には、下向きリブ８５、８５が設けられる。下向きリブ８５、８５は、受け台８２の長手方向に延びている。下向きリブ８５、８５は、両端から中央に行くに従い次第にリブの高さが増すように形成されている。
第７実施例によると、受け台８２の側端部に切欠きＳを設けることにより、受け台８２の軽量化が図られるため、デッキユニットの組立をより簡単かつ迅速に行うことが可能になる。また、下向きリブ８５によって、根太材８０の耐荷重性を大幅に向上させることができる。
【００３２】
本発明の第８実施例を図１８〜図２０に示す。第８実施例は、デッキユニットに目隠し用のフェンスを取り付けるようにしたものである。
デッキユニット９０は、脚材９２の上端部に根太材９３が固定される。根太材９３の内台および外台に連結ピンを介して床板９４および縁板９５が載置されている。脚材９３の軸方向には、ポール９６が固定されており、このポール９６に布製のフェンス９７が取り付けられる。
【００３３】
図１９に示すように、脚材９２の中心軸方向には、ポール９６を挿入可能な貫通孔９６ａが形成される。フェンス９７には、所定の間隔おきにポール９６を挿入可能な筒袋９７ａが形成されている。デッキユニット９０にフェンス９７を設置する場合、まず、脚材９２の貫通孔９２ａにポール９６の下端部を挿入し、デッキ上にポール９６を立てる。次いで、このポール９６にフェンス９７の筒袋９７ａを被せて、各ポール９６の間にフェンス９７の布面を張る。
なお、フェンス９７は、雨等の影響を受けにくいナイロン、ポリエチレン等の化学繊維で形成するとよい。また、フェンス９７の布面をネット状に編むと、風通しが良好になる。
【００３４】
第８実施例によれば、各ユニットごとに目隠し用のフェンス９７を設けることができる。図２０（Ａ）に示すように、脚材９２に沿って直線状にフェンス９７を取り付けたり、また、図２０（Ｂ）に示すように、フェンス９７を直角に曲げて取り付けることが可能である。フェンス９７は、取付けおよび取外しが自由に行えるので、デッキユニットの連結位置を変更するときも、変更後のデッキユニットに合わせて最適な位置に簡単にフェンスを移動させることができる。
【００３５】
なお、前記第１実施例〜第８実施例において、脚材、床板および縁板に木材を用いるのが望ましいが、必要な荷重に十分に耐える素材であれば、木材に限ることなく、樹脂やセラミック等の材料を使用してもよい。
また、床板に代えて、所定サイズの畳を用いてもよい。畳の裏面に連結ピンに嵌合可能なピンソケットを設けることで、自在に取り付けおよび取り外しが可能になる。
【００３６】
【発明の効果】
以上説明したように、本発明の連結ユニット式ウッドデッキによれば、次のような優れた効果を奏する。
(a)  デッキユニットの根太材に床板および縁板を載置して連結ピンで止めることで、デッキユニットを自在に連結可能にしたため、専門の技術者でなくとも、迅速かつ確実にデッキの組立作業を行うことができる。
(b)  床板および縁板を取り外すことで、デッキユニットを自在に移動させることができ、デッキ面の広さおよび形状の変更を簡単に行える。
(c)  床板および縁板の塗り替えや床下の清掃、腐食部材の交換などの定期的な維持管理が容易になる。
(d)  床板および縁板を目的に応じて取り替えることができるため、多様な用途に応じてデッキを使用することができる。
【図面の簡単な説明】
【図１】本発明の第１実施例によるデッキユニットの組立時の状態を示す斜視図である。
【図２】本発明の第１実施例によるデッキユニットの完成後の状態を示す斜視図である。
【図３】本発明の第１実施例によるデッキユニットの構成部品を示す斜視図である。
【図４】本発明の第１実施例による床板および縁板の裏面を示す斜視図である。
【図５】本発明の第１実施例による根太材を示す斜視図である。
【図６】本発明の第１実施例による根太材と脚材の固定部を示す部分拡大斜視図である。
【図７】本発明の第１実施例による根太材の端部を示す部分拡大斜視図である。
【図８】本発明の第１実施例による脚材の上端部のナットおよびＴ溝を示す部分拡大斜視図である。
【図９】本発明の第１実施例による根太材の断面を示すもので、（Ａ）は図５に示すＡ−Ａ線横断面図、（Ｂ）は図５に示すＢ−Ｂ線縦断面図である。
【図１０】本発明の第１実施例によるデッキテラスを連結した状態を示す斜視図である。
【図１１】本発明の第２実施例によるデッキユニットを示す斜視図である。
【図１２】本発明の第３実施例によるデッキユニットを示す斜視図である。
【図１３】本発明の第３実施例によるデッキユニットのコンロ取付部分を示す部分拡大斜視図である。
【図１４】本発明の第４実施例によるデッキユニットを示す組立分解斜視図である。
【図１５】本発明の第５実施例によるデッキユニットを示す平面図である。
【図１６】本発明の第６実施例によるデッキユニットを示す平面図である。
【図１７】本発明の第７実施例による根太材を示すもので、（Ａ）は平面図、（Ｂ）は側面図である。
【図１８】本発明の第８実施例によるデッキユニットを示す斜視図である。
【図１９】本発明の第８実施例による脚材を示す組立分解斜視図である。
【図２０】本発明の第８実施例による脚材の連結方法を説明するための模式図である。
【符号の説明】
１    デッキユニット
２    脚材
３    根太材
４    床板
５    縁板
１２    受け台
１２ａ  内台（受け台）
１２ｂ  外台（受け台）
１３    リブ
１４    連結ピン
１４ａ  内ピン（連結ピン）
１４ｂ  外ピン（連結ピン）
２０    ストッパ
２１    ボルト
２２    ジョイント
２５    ナット
２６    Ｔ溝
２８    逃し溝
【図１】
0003926482.tif 000002
【図２】
0003926482.tif 000003
【図３】
0003926482.tif 000004
【図４】
0003926482.tif 000005
【図５】
0003926482.tif 000006
【図６】
0003926482.tif 000007
【図７】
0003926482.tif 000008
【図８】
0003926482.tif 000009
【図９】
0003926482.tif 000010
【図１０】
0003926482.tif 000011
【図１１】
0003926482.tif 000012
【図１２】
0003926482.tif 000013
【図１３】
0003926482.tif 000014
【図１４】
0003926482.tif 000015
【図１５】
0003926482.tif 000016
【図１６】
0003926482.tif 000017
【図１７】
0003926482.tif 000018
【図１８】
0003926482.tif 000019
【図１９】
0003926482.tif 000020
【図２０】
0003926482.tif 000021